(57)【要約】【課題】  周回衛星を利用した双方向衛星端末の初期設定及び運用状態の確認を行う簡易送受信機を提供を目的とする。【解決手段】  データ処理部１１は、外部のＰＣ又は専用書込み機３０から初期設定データを受信してメモリ部１２に記憶し、衛星ダウンリンクフォーマットデータを作成して、双方向衛星端末２０へ送信し、外部の双方向衛星端末２０から送信された情報を処理して、外部のＰＣ又は専用書込み機３０へ送信する。【選択図】      図１
2007228376.tif 000002
【特許請求の範囲】
【請求項１】
周回衛星を利用して測位等のデータ収集を行う双方向衛星端末の初期設定及び運用状態の確認を行う簡易送受信機であって、
前記簡易送受信機は、データ処理部とメモリ部と変復調部と送受信部と送受信切替え部とアンテナとを有し、
前記データ処理部は、外部のＰＣ又は専用書込み機から初期設定データを受信してメモリ部に記憶し、前記メモリ部に記憶した前記初期設定データを基に初期設定フォーマットデータを作成し、前記初期設定フォーマットデータを衛星ダウンリンクフォーマットに挿入して衛星ダウンリンクフォーマットデータを作成し、前記衛星ダウンリンクフォーマットデータを、前記変復調部、送信部、送受信切替え部及びアンテナを介して外部の双方向衛星端末へ送信し、
且つ、前記外部の双方向衛星端末から送信された情報を、前記アンテナ、送受信切替え部、受信部、及び変復調部を介して受信し、前記情報を前記メモリ部に記憶し、前記メモリ部に記憶した前記情報を処理して前記外部のＰＣ又は専用書込み機に送信することを特徴とする双方向衛星端末の簡易送受信機。
【請求項２】
請求項１に記載の双方向衛星端末の簡易送受信機において、前記初期設定フォーマットは、初期設定フラグ、双方向衛星端末シリアル番号及び設定値からなり、前記初期設定フォーマットデータは、前記衛星ダウンリンクフォーマットのユーザメッセージ情報の箇所に挿入されて、前記衛星ダウンリンクフォーマットデータが作成されることを特徴とする双方向衛星端末の簡易送受信機。
【発明の詳細な説明】
【技術分野】
【０００１】
本発明は、周回衛星を利用した双方向衛星端末の初期設定などを行う装置に関し、詳しくは、無線により初期設定及び運用状態の確認を行う簡易送受信機に関する。
【背景技術】
【０００２】
周回衛星を利用してデータ収集サービス及び測位サービスを受ける双方向衛星端末は、遠隔地において無人で運用される場合がある。このような時には、運用を開始する前に周波数、送信間隔、運用するサービスなどの設定を行い、周回衛星とのリンク試験を必要がある。ところが、周回衛星は常に上空で通信可能な状態にあるとは限らず、衛星一基の場合は、通過時刻まで最大１２時間程度待つ必要がある。このためリンク試験は、擬似衛星として簡易送受信機を用いて行われている。
【０００３】
図３は、双方向衛星端末の初期設定及び運用状態の確認を行うための従来のシステムを示すシステム構成図である。図３において、初期設定では、まずＰＣ又は専用書込み機器３０が、シリアルケーブルを介して双方向衛星端末２０に接続され、双方向衛星端末２０は、初期設定書込みモードに設定される。次にＰＣ又は専用書込み機３０の画面上の初期設定書込みメニューに従ってデータが書き込まれ、書き込まれたデータは双方向衛星端末２０へ送信される。続いて正常書き込みがされたことを確認し、確認が終了するとシリアルケーブルがはずされ、初期設定が終了する。
【０００４】
運用のためのリンク試験では、運用機器４０がシリアルケーブルを介して双方向衛星端末２０に接続され、双方向衛星端末２０は、運用モードに設定される。次に簡易送受信機１０と双方向衛星端末２０との間で擬似衛星波による送受信が行われ、衛星とのリンクの確立、オールキャストフォーマットによる時刻データ、双方向衛星端末状況等の確認が行われて、リンク試験を終了する。
【０００５】
これら初期設定とリンク試験とは、全く独立した実施内容であるためＰＣによる初期設定後に簡易送受信機をセットし直す必要があり、システムの設定が二度手間となるばかりか、トラブルが生じて再設定となった場合は、設定の負担が大きくなる。また双方向衛星端末２０が海洋観測機器やブイなどの防水ケースの内部に組み込まれた後に、設定変更やトラブルが発生した場合は、さらに大きな負担が要求される。特許文献１には、無線機のスケルチ制御信号をＰＣで書き込み変更する旨の記載がされている。
【特許文献１】特開２００２−４３９７２号公報
【発明の開示】
【発明が解決しようとする課題】
【０００６】
本発明は、このような問題を解決するためになされたものであり、その目的は、周回衛星を利用した双方向衛星端末の初期設定及び運用状態の確認を行う簡易送受信機を提供することにある。
【課題を解決するための手段】
【０００７】
本発明の双方向衛星端末の簡易送受信機は、周回衛星を利用して測位等のデータ収集を行う双方向衛星端末の初期設定及び運用状態の確認を行う簡易送受信機であって、簡易送受信機は、データ処理部とメモリ部と変復調部と送受信部と送受信切替え部とアンテナとを有し、データ処理部は、外部のＰＣ又は専用書込み機から初期設定データを受信してメモリ部に記憶し、メモリ部に記憶した初期設定データを基に初期設定フォーマットデータを作成し、初期設定フォーマットデータを衛星ダウンリンクフォーマットに挿入して衛星ダウンリンクフォーマットデータを作成し、衛星ダウンリンクフォーマットデータを、変復調部、送信部、送受信切替え部及びアンテナを介して外部の双方向衛星端末へ送信し、且つ、外部の双方向衛星端末から送信された情報を、アンテナ、送受信切替え部、受信部、及び変復調部を介して受信し、情報をメモリ部に記憶し、メモリ部に記憶した情報を処理して外部のＰＣ又は専用書込み機に送信することを特徴とする。
【０００８】
本発明の双方向衛星端末の簡易送受信機の初期設定フォーマットは、初期設定フラグ、双方向衛星端末シリアル番号及び設定値からなり、初期設定フォーマットデータは、衛星ダウンリンクフォーマットのユーザメッセージ情報の箇所に挿入されて、衛星ダウンリンクフォーマットデータが作成されることを特徴とする。  
【発明の効果】
【０００９】
本発明によれば、周回衛星を利用した双方向衛星端末の初期設定及び運用状態の確認を簡易送受信機により行うことができるため、初期設定のためのシステムのセットアップが容易となり、運用中における設定変更においても、装置を分解することなく外部から非接触で変更することが可能となる。
【発明を実施するための最良の形態】
【００１０】
本発明による簡易送受信機の実施の形態について、図を用いて説明する。図１は、本発明による簡易送受信機の回路ブロック図である。簡易送受信機１０は、データ処理部１１とメモリ部１２と変復調部１３と送信部１４と受信部１５と送受信切替え部１６とアンテナ１７とを有する。
【００１１】
データ処理部１１は、外部のＰＣ又は専用書込み機器３０から初期設定データを受信し、衛星ダウンリンクフォーマットデータを作成して変復調部１３へ送信し、外部の双方向衛星端末２０からの送信情報を処理して、双方向衛星端末２０の動作状態を外部のＰＣ又は専用書込み機器３０へ送信する。メモリ部１２は、データ処理部１１が受信したデータと処理したデータとを記憶する。変復調部１３と送受信部１３、１４と送受切替え部１６とアンテナ１７とは、データ処理部１１が作成した衛星ダウンリンクフォーマットデータを、外部の双方向衛星端末２０へ送信し、外部の双方向衛星端末２０からの送信情報を受信して、データ部１１へ送信する。
【００１２】
図１において、初期設定動作を説明する。外部のＰＣ又は専用書込み機器３０から初期設定データが入力されると、データ処理部１１はこのデータを一端メモリ部１２へ記憶する。続いて記憶された初期設定データを基に、事前にメモリ部１２に記憶されている初期設定フォーマットデータ及び衛星ダウンリンクフォーマットデータの作成手順に従ってフォーマットデータを作成し、再びメモリ部１２へ記憶すると共に変復調部１３へ送信する。
【００１３】
変復調部１３は、送信された衛星ダウンリンクフォーマットデータに対し、運用と同じボーレイトでＰＳＫ変調を行うことによりベースバンド信号を生成し、送信部１４へ送信する。送信部１４は、送信されたベースバンド信号を運用と同じＵＨＦ帯の送信周波数に変換する。変換されたベースバンド信号は、所定の出力（たとえば０ｄｂｍ程度）に増幅された後、送受信切替え部１６を通ってアンテナ１７から外部の双方向衛星端末２０に向けて送信される。
【００１４】
双方向衛星端末２０は、受信した信号を解読し、自局のシリアル番号であれば初期設定値を取り込み、ＥＥＰＲＯＭにデータを書き込む。シリアル番号の照合が取れなければ、他局の初期設定データと見做し、シリアル番号以下の所定のデータを無視する。自局の初期設定データが正常に書き込みされると、双方向衛星端末２０は、簡易送受信機１０に対してＡＣＫ信号を送信する。
【００１５】
簡易送受信機１０のアンテナ１７と送受切替え部１６と送受信部１４と変復調部１３とは、ＡＣＫ信号を示す情報信号を受信し、データ処理部１１へ送信する。データ処理部１１は、この情報信号をメモリ部１２へ記憶し、予めメモリ部１２へ蓄積されている処理手順により情報信号を処理する。情報信号から双方向衛星端末２０が正常に初期設定値を受信したことを確認すると、衛星ダウンリンクフォーマットデータの送信を停止し、正常に受信されたことを知らせる信号を生成してＰＣ又は専用書込み機器３０へ送信し、初期設定送信動作を終了する。
【００１６】
次に、ＰＣ又は専用書込み機器３０はこの信号を受信すると、リンク試験を開始できる状態と判断して、リンク試験が開始される。ＰＣ又は専用書込み機器３０と双方向衛星端末２０との間では、簡易送受信機１０を介して初期設定と同様の信号の送受信が行われ、必要があれば双方向衛星端末２０を分解することなく、初期設定動作に戻って設定値の変更、システムの調整等が行われる。実衛星とのリンク条件が全て満たされると、リンク試験は終了する。さらに運用中に双方向衛星端末２０の設定値の変更が生じた場合や、運用サービス上のデータの確認が必要となった場合や、実衛星との通信状況の確認が必要となった場合などにおいても、ＰＣ又は専用書込み機器３０は、初期設定又はリンク試験と同様の手順で、双方向衛星端末２０と通信できる。
【００１７】
図２は、簡易送受信機が双方向衛星端末へ送信するデータフォーマットを示すフォーマット図である。図２のａは、初期設定フォーマットを示し、ｂは、衛星ダウンリンクフォーマットを示す。初期設定フォーマットａは、初期設定フラグ、双方向衛星端末シリアル番号及び設定値から構成される。データ処理部１１は、外部のＰＣ又は専用書込み機器３０から初期設定データが入力されると、このデータを一端メモリ部１２へ記憶すると共に、この初期設定データを所定の箇所に設定して初期設定フォーマットデータを作成する。続いて、衛星ダウンリンクフォーマットｂのユーザメッセージ情報の箇所に初期設定フォーマットデータ挿入して、衛星ダウンリンクフォーマットデータを作成する。
【００１８】
以上説明したように、本発明によると、周回衛星を利用した双方向衛星端末の初期設定及び運用状態の確認を、運用サービスの周波数及び変調方式を用いて、簡易送受信機により行うことができるため、初期設定のためのシステムのセットアップが容易となり、運用中における設定変更においても、装置を分解することなく外部から非接触で変更することが可能となり、双方向衛星端末の生産及び運用の効率化が図れる。
【図面の簡単な説明】
【００１９】
【図１】本発明による簡易送受信機の回路ブロック図。
【図２】双方向衛星端末へ送信するデータフォーマットを示すフォーマット図。
【図３】従来のシステムを示すシステム構成図。
【符号の説明】
【００２０】
１０  簡易送受信機
１１  データ処理部
１２  メモリ部
１３  変復調部
１４  送信部
１５  受信部
１６  送受信切替え部
１７  アンテナ
２０  双方向衛星端末
３０  ＰＣ又は専用書込み機器
４０  運用機器
【図１】
2007228376.tif 000003
【図２】
2007228376.tif 000004
【図３】
2007228376.tif 000005